(57)【特許請求の範囲】
【請求項１】
被測定部位に巻きつけるバンドと、前記バンド巻きつけ時の外面かつ前記バンドの一端部に配設するバックルと、前記バックルと同じ面かつ前記バックルよりも内周側で前記バンドに配設するリングとを備え、前記バンドの長手方向において、前記バックルの外側片を前記バックルの内側片よりも長く延ばし、また、前記バックルと前記リングは前記バンドの他端部を挿通可能であることを特徴とする血圧計カフ。
【請求項２】
前記バンドの他端部にストッパーを備えたことを特徴とする請求項１に記載の血圧計カフ。
【請求項３】
前記バックルと前記バンドは係合可能であり、前記バックルの外面と前記バンドの外面にそれぞれ係合部材を備えたことを特徴とする請求項１に記載の血圧計カフ。
【請求項４】
請求項１から３のいずれかに記載の血圧計カフと、測定部を備えたことを特徴とする血圧計。
【発明の詳細な説明】
【技術分野】
【０００１】
本発明は、血圧計カフ及び血圧計に関する。
【背景技術】
【０００２】
一般的な血圧計カフは、バンドの内部に、空気を注入・排出できる空気袋を収納して成り、バンドを心臓に近い上腕部に巻き付けて上腕部内側の動脈を空気袋で覆い、血圧測定を行なう。
従来、被計測者が自分自身でバンドを上腕部に巻き付けることができるように、バンドの一端部に環状の締め具を装着し、バンドの一端部外面に面ファスナー等の係合具を取り付けた血圧計カフが知られている。
【０００３】
この血圧計カフを上腕部に装着するには、バンドの他端部を締め具に挿通してバンドを輪状にし、上腕部を輪状のバンドに通してから、折り返した他端部を引いてバンドの径を上腕部の太さに合わせ、係合具をバンドの外面に係合して上腕部を締め付ける。
バンドの折り返し部の位置は上腕部の太さによって異なるので、折り返すことができない空気袋は通常バンドの一端側に内蔵される。
【０００４】
上記従来の血圧計カフとしては、第１及び第２の締付部材を有する締め金と、第１の締付部材に一端が固定されたバンドを備え、第１の締付部材と第２の締付部材の間にバンドの他端部を通して折り返し、バンドの一端部外面に取り付けた被覆材料を、第２の締付部材の外面に装着した被覆材料に重ね合わせて付着させることにより、バンドを上腕部に巻き付けるものがある（特許文献１参照）。
【０００５】
また、帯体の一端側に、空気袋を設けると共に、帯体の他端部が挿通して折り返される留め環を取り付け、帯体の外面に、折り返される帯体の他端部を係止する係止手段を設けた血圧計の腕帯も知られている（特許文献２参照）。
この腕帯は、帯体の一端を留め環取付部（他端部の折り返し部）から延長して重ね合わせ部とし、この重ね合わせ部まで空気袋を延ばしてあるので、空気袋が上腕動脈側に位置するよう帯体を腕に外装すると、帯体の他端部を引っ張る方向が身体側下方になり、このため、自然な姿勢で無理なく取り付けることができる。
【先行技術文献】
【特許文献】
【０００６】
【特許文献１】特公昭６２−５８７３４号公報
【特許文献２】実開平５−３９５０４号公報
【発明の概要】
【発明が解決しようとする課題】
【０００７】
特許文献１及び特許文献２の発明のいずれも、様々な腕の形に対応してカフを巻きつけることができないという問題がある。たとえば、上腕の円錐がきつい人の場合、締付部材にバンドが斜めから挿入されることもあるがこれに対応できない。
本発明の目的は、様々な腕の形に対応してカフを巻きつけることが可能な血圧計カフ及び血圧計を提供することにある。
【課題を解決するための手段】
【０００８】
本発明の血圧計カフは、上記課題を解決するために、上腕部に巻き付けるバンドの、巻き付け時に外側となる外面にファスナーの一方部材を装着し、前記バンドの一端部であっ
て上腕部内側に巻き付く部分の内部に、空気を注入・排出可能な袋体を収納し、前記バンドの一端部の外面に、バンドの他端部が摺動自在に挿通される筒状のバックルを取り付けると共に、該バックルの外面にファスナーの他方部材を装着してあり、前記バックルに前記バンドの他端部を挿通してから折り返し、前記ファスナーを介してバックルの外面にバンドの他端部を止着する。
前記ファスナーがフック＆ループファスナーであり、前記バンドの外面にループ部材を全長に亘って装着し、前記バックルの外面にフック部材を装着することがある。
【０００９】
前記バンドの外面において、前記バックルよりやや他端寄りに、前記バンドの他端部が摺動自在に挿通されて折り返されるリングを揺動可能に取り付けるとよい。
この場合、前記バンドの一端部の内部において、前記袋体の外面側に、弾性変形可能な補強シートを、前記バックルの取付位置からリングの取付位置に亘って取り付けてもよい。
【発明の効果】
【００１０】
本発明によれば、バックルに対してカフの一端が斜めからの挿入にも対応できるため、様々な腕の形に対応でき、正確な血圧を測定することができる。
【図面の簡単な説明】
【００１１】
【図１】本発明の実施例を示す血圧計カフの要部分解断面図。
【図２】本発明の実施例を示す血圧計カフの使用状態における概略図。
【図３】本発明の実施例を示す血圧計カフの外面図。
【図４】本発明の実施例を示す血圧計カフの内面図。
【図５】本発明の実施例に係るバックルの斜視図。
【図６】本発明の実施例を示す血圧計カフの斜視図。
【発明を実施するための形態】
【００１２】
以下、本発明の実施例を図面に基づいて詳細に説明する。
図１〜図４に示すように、本発明の血圧計カフ１は、バンド２と、バンド２の内部に収納された袋体３と、バンド２の一端部に取り付けられたバックル４と、バックル４よりもやや他端寄り（内周側）において、バンド２に取り付けられたリング５を備える。
バンド２は、被計測者の被測定部位である上腕部ａ（図２）に巻くことができるように５０ｃｍ程度の長さを有する帯状の部材であって、表生地６と裏生地７の周囲を縫着して扁平な袋状に形成される。
【００１３】
バンド２の一端側の幅は約１４ｃｍであり、他端から１５ｃｍ程度の長さに亘る部分の幅は約１２ｃｍとやや狭くなっている（図３及び図４）。
図１及び図３に示すように、バンド２を上腕部ａに巻き付けた時に外側となるバンド２の外面（表生地６の外面）には、係合部材であるフック＆ループファスナー８のループ部材８ａがほぼ全面に亘って装着されている。ループ部材８ａは、縫着、接着等により表生地６に取り付けられる。
【００１４】
また、図３及び図４に示すように、バンド２の他端部において、表生地６と裏生地７の間には、バンド２の幅方向に沿ってストッパー９となる棒状部材が取り付けられている。図１に示すように、袋体３は、バンド２の一端側より幅がやや狭く、バンド２の全長の１/２程度の長さを有する扁平な袋であって、バンド２の一端側において、表生地６と裏生地７の間に設置される。また、袋体３の他端寄りで表生地６と裏生地７が縫い止められて、袋体３は移動しないようバンド２に取り付けられる。
【００１５】
袋体３は、バンド２の外面に突出する給排気口１０を有し、給排気口１０に嵌合されたチューブ１４（図６）を介して図示しない血圧計本体（測定部）のポンプと接続されてい
る。そして、ポンプを作動させることにより、袋体３の内部に空気を注入或いは排出できるようになっている。
【００１６】
また、袋体３と表生地６の間には、バックル４の取付位置からリング５の取付位置に亘って補強シート１１が取り付けられている。
補強シート１１は、ポリプロピレン等を素材とする弾性変形可能な薄板より成る。補強シート１１は、バンド２を巻き付けると上腕部ａの形状に合わせて湾曲し、袋体３に空気を注入すると膨張する袋体３の形状に合わせて湾曲するが、袋体３から空気を排出し、上腕部ａからバンド２を外すと、もとの形に復帰する。
【００１７】
バックル４は、ＡＢＳ樹脂等の比較的硬くて強度のある合成樹脂を素材とし、バンド２の一端部とほぼ同幅で扁平な筒状に形成される。
また、バックル４は、表生地６の外面（バンド２を巻きつけたときの外面であり、ループ部材８ａの外面）に、その軸方向がバンド２の長軸と一致するように取り付けられている。
【００１８】
図５に示すように、バックル４の外側片４ａは、内部空間の高さが他端から一端に向かって次第に高くなるよう傾斜している。また、バンド２の長手方向において、バックル４の外側片４ａの一端部は、バンド２に取り付けられる内側片４ｂの一端よりも長く延びてガイド部１２となっている。
このガイド部１２により、バックル４に対してバンド２を斜めに挿入した場合にも、容易に対応することが可能になった。つまり、腕が太い被計測者や、被測定部位である上腕部の形状（円錐形状）がきつい被計測者など、様々な被計測者にも容易に対応できるようになった。
【００１９】
図１〜図３に示すように、バックル４の外面には、フック＆ループファスナー８のフック部材８ｂが装着されている。
フック部材８ｂは、バンド２の他端部を確実に止着できるように、バックル４の外面の１／２以上を覆う面積とするのが望ましく、溶着、縫着等によりバックル４の外側片４ａにしっかり固定される。
【００２０】
リング５は、錆びにくい金属製の細い丸棒を細長い環状に折り曲げて成り、その長径がバンド２の他端部の幅より僅かに大きく形成されている。
また、バンド２の一端部外面において、バックル４よりやや他端寄りには、帯状布を半幅に折り曲げて成るループ片１３がバンド２の幅方向に沿って縫着され、リング５の一方の長辺がループ片１３に挿通されている。
従って、ループ片１３を介してバンド２の外面に取り付けられたリング５は、バンド２の一端方向及び他端方向に揺動することができる。
【００２１】
血圧計カフ１を上腕部ａに装着するには、図６に示すように、バンド２の他端部をバックル４及びリング５に挿通して、バンド２を輪状にし、バンド２の一端が身体側に向くよう輪状のバンド２に上腕部ａを通す。
バックル４の外側片４ａが傾斜すると共に、外側片４ａの一端部にガイド部１２が形成されているので、バンド２の他端部を簡単にバックル４に挿通することができる。また、バンド２の他端部にはストッパー９が設けられているため、バンド２の他端部をいったんリング５に通した後は、強制的に引き抜かない限りリング５及びバックル４から抜けだすことはない。
【００２２】
次いで、図２に示すように、袋体３の中央部分（バンド２の一端からやや間隔をおいた部分）を上腕部内側の動脈ｂ付近に一致させた状態で、バンド２の他端部をリング５の位
置から折り返し、身体側の下方へ引っ張る。
【００２３】
この時、バンド２の折り返し部はリング５で支持されているので、バンド２の内面はバックル４の内周面から浮き上がって強く擦られることはなく、また、細い丸棒より成るリング５が引く力に応じて揺動するため、バンド２の外面に加わる摩擦力も低減される。
そして、輪状のバンド２の径を上腕部ａの太さに合わせてから、図２に示すように、折り返したバンド２の他端部の外面をバックル４の外面に押し付け、フック＆ループファスナー８のループ部材８ａとフック部材８ｂを係合する。
【００２４】
バンド２の外面から突出したバックル４の外面にフック部材８ｂが装着されているので、バンド２を軽く押し付けるだけで簡単にバンド２の他端部をバックル４の外面に止着できる。
【００２５】
なお、片手で操作することにより着脱できるものであれば、フック＆ループファスナー以外のファスナーを用いることもできるが、ベルト２の外面に全長に亘って装着されたループ部材８ａと、バックル４の外面に装着されたフック部材８ｂとから成るフック＆ループファスナー８であれば、着脱操作が簡単であるばかりか、被計測者の上腕部の太さが異なっても対応することができる。
また、バックル４の形状、リング５の取付構造等は、上記した実施例に限定されない。
【符号の説明】
【００２６】
ａ    上腕部
ｂ    動脈
１    血圧計カフ
２    バンド
３    袋体
４    バックル
４ａ  外側片
４ｂ  内側片
５    リング
６    表生地
７    裏生地
８    フック＆ループファスナー
８ａ  ループ部材
８ｂ  フック部材
９    ストッパー
１０  給排気口
１１  補強シート
１２  ガイド部
１３  ループ片
１４  チューブ
【図１】
0005800743.tif 000002
【図２】
0005800743.tif 000003
【図３】
0005800743.tif 000004
【図４】
0005800743.tif 000005
【図５】
0005800743.tif 000006
【図６】
0005800743.tif 000007